(57)【要約】【課題】雨水が長尺な破風カバーの途中の意図しない部分からまとまって流れ出すことを防止でき、安価で、破風カバーの表面化粧部を幅の広い帯状に浮き上がらせて見栄えの良い外観となる破風板の化粧構造を提供する。【解決手段】破風カバー２の長尺の表面化粧部１９の上縁から断面略Ｌ字状の上陰影形成部２０を内側方に突出する。表面化粧部１９の下縁から断面略逆Ｌ字状の下陰影形成部２１を内側方に突出する。破風カバー２を破風板１の外側面に沿って取付ける。破風カバー２とは別体で長尺な補助陰影形成部材３５に長手方向の全長に亘って上方に開口する排水溝３６を形成する。補助陰影形成部材３５を上陰影形成部２０の横片部３７の上面を覆うように破風カバー２に取付ける。補助陰影形成部材３５の外側端部を破風カバー２の表面化粧部１９の外側面よりも外側方に突出する。【選択図】図１
2007154458.tif 000002
【特許請求の範囲】
【請求項１】
長尺の表面化粧部の上縁から断面略Ｌ字状の上陰影形成部を内側方に突出すると共に下縁から断面略逆Ｌ字状の下陰影形成部を内側方に突出する破風カバーを備え、該破風カバーを破風板の外側面に沿って取付け、破風カバーとは別体で長尺な補助陰影形成部材に長手方向の全長に亘って上方に開口する排水溝を形成し、該補助陰影形成部材を上陰影形成部の横片部の上面を覆うように破風カバーに取付け、該補助陰影形成部材の外側端部を破風カバーの表面化粧部の外側面よりも外側方に突出したことを特徴とする破風板の化粧構造。
【請求項２】
上記補助陰影形成部材の軒側の端部を破風カバーの軒側の端よりも軒先側に突出し、該補助陰影形成部材の排水溝の軒側の端を軒樋の妻側の端部の上方において開口させたことを特徴とする請求項１に記載の破風板の化粧構造。
【請求項３】
上記補助陰影形成部材の排水溝の少なくとも外側端部を屋根の妻側の端面に沿って取付けたけらば水切よりも外側方に配置したことを特徴とする請求項１〜２のいずれかに記載の破風板の化粧構造。
【発明の詳細な説明】
【技術分野】
【０００１】
本発明は破風板の化粧構造に関する。
【背景技術】
【０００２】
屋根の妻側の端面に取付けた破風板の化粧構造としては以下に示すものが広く知られている。一般的な破風板の化粧構造は、長尺で幅広の表面化粧部の上縁から断面略Ｌ字状の上陰影形成部を内側方に突出すると共に下縁から断面略逆Ｌ字状の下陰影形成部を内側方に突出する破風カバーを備え、該破風カバーを長尺な破風板の外面に沿って取付けている。破風カバーは上陰影形成部及び下陰影形成部により上縁部及び下縁部の夫々に内側方に凹む段部を形成しているので、破風カバーの上下縁に沿って平行な２本の帯状の陰影を形成でき、これにより２本の陰影の間にある表面化粧部を幅の広い帯状に浮き上がらせて、立体的で高級感のある優れた外観を得ている。
【０００３】
しかし上記破風カバーの内側方に凹む上陰影形成部上には雨水が入りやすく、このため断面略Ｌ字状の上陰影形成部の横片部上の雨水が上陰影形成部材に沿って流れるにつれて大きな流れとなり、長尺な破風カバーの途中の意図しない部分から屋外側にまとまって流れ出す場合がある。
【０００４】
また例えば特許文献１に示す破風板の化粧構造は、破風カバーの上端部から破風カバーの外側面部と面一となる突片を上方に向けて一体に突出して、突片の内側に上方に開口する排水溝を形成しており、該排水溝により破風カバーの上方に入った雨水を軒側の端から軒樋に排水できるようにしている。
【０００５】
しかし特許文献１では先に示した破風カバー（即ち表面化粧部の上下縁から上陰影形成部及び下陰影形成部を突出した破風カバー）とは別に新たに排水溝を有する破風カバーを製造する必要があり、コストがかかる。また破風カバーの排水溝の上方には陰影が形成されるものの、突片は破風カバーの外側面部と面一でこの部分に段部が形成されていないので、排水溝の上方にできる陰影は幅が小さくて地上から見え難くぼやけたものとなってしまう。従って引用文献１の破風カバーは、先に示した破風カバーのように上縁部及び下縁部を除いた部分がくっきりと浮き上がったように見え難くて見栄えが悪い。
【特許文献１】特開２０００−１９２６２５号公報
【発明の開示】
【発明が解決しようとする課題】
【０００６】
本発明は上記従来の問題点に鑑みて発明したものであって、風が強い場合等に破風カバーの上陰影形成部上に入った雨水が長尺な破風カバーの途中の意図しない部分からまとまって流れ出すことを防止でき、安価で、しかも破風カバーの上下縁部に帯状の陰影を形成できて該破風カバーの表面化粧部を幅の広い帯状にくっきりと浮き上がらせて見栄えの良い破風板の化粧構造を提供することを課題とするものである。
【課題を解決するための手段】
【０００７】
上記課題を解決するために本発明に係る破風板の化粧構造は、長尺の表面化粧部１９の上縁から断面略Ｌ字状の上陰影形成部２０を内側方に突出すると共に下縁から断面略逆Ｌ字状の下陰影形成部２１を内側方に突出する破風カバー２を備え、該破風カバー２を破風板１の外側面に沿って取付け、破風カバー２とは別体で長尺な補助陰影形成部材３５に長手方向の全長に亘って上方に開口する排水溝３６を形成し、該補助陰影形成部材３５を上陰影形成部２０の横片部３７の上面を覆うように破風カバー２に取付け、該補助陰影形成部材３５の外側端部を破風カバー２の表面化粧部１９の外側面よりも外側方に突出したことを特徴とするものである。
【０００８】
排水溝３６を形成した補助陰影形成部材３５を破風カバー２に取付けることで、風が強い場合等に破風カバー２の上陰影形成部２０上に入った雨水を排水溝３６に流して該排水溝３６の軒側の端から排出でき、長尺な破風カバー２の途中の意図しない部分から雨水が屋外側にまとまって流れ出すことを防止できる。また補助陰影形成部材３５を従来から利用されている破風カバー２に取付けるだけで、破風カバー２の上縁部に排水溝３６を形成でき、製造コストを抑えられる。またこの補助陰影形成部材３５の外側端部は破風カバー２の表面化粧部１９の外側面よりも更に外側方に突出するので、補助陰影形成部材３５により破風カバー２の上縁部に表面化粧部１９よりも外側方に突出した段部３８を形成して該段部３８の下方に帯状の陰影を形成できる。つまり本発明では雨水を排水するための排水溝３６を形成したにも関わらず、該排水溝３６の形成に用いた破風カバー２とは別体の補助陰影形成部材３５により表面化粧部１９の上縁部にくっきりとした陰影を形成でき、この陰影と破風カバー２の下陰影形成部２１によって形成された帯状の陰影とでこの間の表面化粧部１９を幅の広い帯状にくっきりと浮き上がらせて高級感のある優れた外観を得ることができる。
【０００９】
また上記補助陰影形成部材３５の軒側の端部を破風カバー２の軒側の端よりも軒先側に突出し、該補助陰影形成部材３５の排水溝３６の軒側の端を軒樋３９の妻側の端部の上方において開口させることも好ましい。
【００１０】
上記構成により排水溝３６内を流れる雨水を軒樋３９にスムーズに排水できる。またこの場合、補助陰影形成部材３５を軒側の端部が破風カバー２よりも軒先側に突出するように取付けるだけで軒樋３９への排水が可能となる。
【００１１】
また上記補助陰影形成部材３５の排水溝３６の少なくとも外側端部を屋根の妻側の端面に沿って取付けたけらば水切６よりも外側方に配置することも好ましい。
【００１２】
この場合、けらば水切６にて水切された雨水を排水溝３６に流すことができる。
【発明の効果】
【００１３】
本発明では雨水が長尺な破風カバーの途中の意図しない部分からまとまって流れ出すことを防止でき、安価で、しかも破風カバーの表面化粧部を幅の広い帯状に浮き上がらせて見栄えの良い外観とできる。
【発明を実施するための最良の形態】
【００１４】
以下、本発明を添付図面に示す実施形態に基いて説明する。図１は建物の屋根の妻側の端部を示す断面図である。屋根は、平行な複数本の垂木３の上面に屋根下地板４を取付けると共に、屋根下地板４上に瓦からなる屋根材５を多数葺設して構成してあり、屋根下地板４の妻側（図１の矢印イに示す方向）の端部は最も妻側に位置する垂木３の外側面に沿って取付けた破風板１の外側面よりも更に外側方に突出している。
【００１５】
屋根の妻側の端部（即ちけらば先）にはけらば水切６を取り付けている。けらば水切６は垂直な水切板部７の内側面を屋根下地板４の妻側の端面に沿わせ、水切板部７から内側方に向けて突出した差込片部８を屋根下地板４と屋根材５の間に差し込んで取付けている。水切板部７の下端部は屋根下地板４よりも下方に突出した水切部９となっており、該水切部９により水切板部７の外側面に沿って流下する雨水を水切りできるようになっている。また水切部９の下縁よりもやや上位からは下覆片部１０を内側方に向けて突出しており、該下覆片部１０で屋根下地板４の妻側の端部を下方から覆っている。また水切板部７の上端から上覆片部１１を内側方に向けて突出しており、該上覆片部１１で屋根材５の妻側の端部を上方から覆っている。
【００１６】
上記屋根の建物外壁（図示せず）よりも更に妻側に突出した端部の下方には屋根と平行に傾斜した軒天井を形成してあり、該軒天井の軒側の端部は屋根の軒側端部の下方に設けた水平な軒先天井の妻側の端部に連続している。軒天井は、破風板１の下部と建物外壁との間に軒天井下地材１３を複数架設し、これら軒天井下地材１３の下面に軒天井板１４を取付けて構成している。軒天井下地材１３の外側端部は破風板下地材１５の下面に取付けている。
【００１７】
破風板１は屋根と平行に傾斜した長尺平板状に形成している。破風板１は上端部を妻側の端部に位置する垂木３に固着し、下部を軒天井下地材１３に固着している。
【００１８】
また軒天井下地材１３には換気用孔１６を形成した軒天井見切１７を破風板１の軒天井下地材１３よりも下方に突出した部分と軒天井板１４の外側端面との間を覆うように取付けている。屋外空間と軒天井上方の軒裏空間１８は軒天井見切１７の換気用孔１６を介して連通しており、これにより軒裏空間１８を換気できるようになっている。
【００１９】
破風板１の外側面には同面に沿って破風カバー２を取付けてあり、該破風カバー２で破風板１の外側面の全体を覆っている。破風カバー２は幅広（破風板１の幅よりもやや小さい）で且つ平坦な長尺帯状の表面化粧部１９で主体を構成している。表面化粧部１９の上縁からは全長に亘って断面略Ｌ字状の上陰影形成部２０を内側方に向けて一体に突出している。また表面化粧部１９の下縁からは略全長に亘って断面略逆Ｌ字状の下陰影形成部２１を内側方に向けて一体に突出している。断面略逆Ｌ字状の下陰影形成部２１の縦片状部２２の下端部には突端側程上方に位置するように傾斜した傾斜覆片２３を突出してあり、また縦片状部２２の傾斜覆片２３よりも上位には内側方に向けて係止部２４を突出している。
【００２０】
破風カバー２の破風板１への取付けは金属製のカバー取付具２５を用いる。カバー取付具２５は垂直な取付片部２６の下部から内側方に向けて当片部２７を突出したものであり、取付片部２６の下端は当片部２７よりも下方に突出して被係止部２８となっている。カバー取付具２５を破風板１に取付けるには、当片部２７を破風板１の下端面に当てると共に取付片部２６を破風板１の下端部に沿わせ、取付片部２６に挿通したビスのような固着具２９を破風板１を通して屋根下地板４に固着する。さらにこの破風板１に取付けたカバー取付具２５に破風カバー２を取付けるには、係止部２４をカバー取付具２５の被係止部２８に係止して、下陰影形成部２１の縦片状部２２及び上陰影形成部２０の縦片部３０を取付片部２６の外側面及び破風板１の上端部の外面の夫々に沿わせ、且つ傾斜覆片２３で軒天井の妻側の端部の下方を覆い、この後、上陰影形成部２０の縦片部３０に挿通したビスのような固着具３１を破風板１及び垂木３に固着する。
【００２１】
破風カバー２を破風板１に取付けた状態では破風カバー２の表面化粧部１９の外側面とけらば水切６の外側面とが略面一となる。また破風カバー２の上方にはけらば水切６と破風カバー２の上陰影形成部２０とで囲まれた外側方に開口する凹所３２が形成される。また図２に示すように破風カバー２の軒側の端は軒先に設けた鼻板３３よりも更に軒先側に位置し、且つ鼻板３３に軒樋取付具３４を介して取付けた軒樋３９よりも棟側に位置している。
【００２２】
図１のように上記破風カバー２には長尺な補助陰影形成部材３５を取付けている。補助陰影形成部材３５は上方に開口する断面コ字状に形成してあり、底部３５ａの両側から立ち上げた側片部３５ｂ、３５ｃ間に長手方向の全長に亘って上方に開口する排水溝３６を形成している。また補助陰影形成部材３５の幅寸法は上陰影形成部２０の横片部３７の幅寸法よりも大きくなっている。
【００２３】
補助陰影形成部材３５を破風カバー２に取付けるには、図１のように底部３５ａを上陰影形成部２０の横片部３７の上面に載置して同面の幅方向の全部を覆い、且つ一方の側片部３５ｂ（内側の側片部３５ｂ）を上陰影形成部２０の縦片部３０の外側面に当て、この状態で補助陰影形成部材３５を接着剤やビスのような固着具を用いて破風カバー２に取付ける。
【００２４】
破風カバー２に取付けた補助陰影形成部材３５は外側に設けた側片部３５ｃが表面化粧部１９の外側面よりも外側に位置しており、これにより排水溝３６の外側端部がけらば水切６よりも外側方に位置している。またこれにより破風カバー２の外側端部が破風カバー２の表面化粧部１９の外側面よりも更に外側方に突出し、破風カバー２の上縁部に表面化粧部１９よりも外側方に突出した段部３８が形成される。
【００２５】
また図２のように補助陰影形成部材３５の軒側の端部は破風カバー２の軒側の端よりも更に軒先側に突出している。さらに軒樋３９の妻側の端部は補助陰影形成部材３５の排水溝３６よりも外側に突出するように取付けてあり、これにより排水溝３６の軒側の端は軒樋３９の妻側の端部の上方において開口している。
【００２６】
以上説明したように本発明では上方に開口する排水溝３６を長手方向の全長に亘って形成した補助陰影形成部材３５を上陰影形成部２０の横片部３７の上面を覆うように破風カバー２に取付けたので、けらば水切６と上陰影形成部２０の間に入る雨水を破風カバー２上に形成した排水溝３６に流して、該排水溝３６の軒側の端から軒樋３９にスムーズに排水でき、これにより長尺な破風カバー２の途中の意図しない部分から雨水が屋外側にまとまって流れ出すことを防止できる。またこの場合、排水溝３６を形成した破風カバー２とは別体の補助陰影形成部材３５を従来から利用されている破風カバー２に取付けるだけで表面化粧部１９の上縁部に排水溝３６を形成でき、製造コストを抑えられる。また特に別体の補助陰影形成部材３５を破風カバー２よりも外側に突出するように取付けるだけで排水溝３６内の雨水を軒樋３９に排水できる。
【００２７】
またこの補助陰影形成部材３５の外側端部は破風カバー２の表面化粧部１９の外側面よりも更に外側に突出しているので、補助陰影形成部材３５により破風カバー２の上縁部に表面化粧部１９よりも外側方に突出した段部３８を形成して該段部３８の下方に帯状の陰影を形成できる。つまり本発明では雨水を排水するための排水溝３６を形成したにも関わらず、該排水溝３６の形成に用いた破風カバー２とは別体の補助陰影形成部材３５により表面化粧部１９の上縁部にくっきりとした陰影を形成でき、この陰影と破風カバー２の下陰影形成部２１によって形成された帯状の陰影とでこの間の表面化粧部１９を幅の広い帯状にくっきりと浮き上がらせて高級感のある優れた外観を得ることができる。
【００２８】
また本例では補助陰影形成部材３５の排水溝３６の外側端部を屋根の妻側の端面に沿って取付けたけらば水切６よりも外側方に配置したので、けらば水切６にて水切された雨水を排水溝３６に流して排水できる。
【００２９】
なお本例の補助陰影形成部材３５の側片部３５ｂ、３５ｃの上端はけらば水切６の水切部９の下端と略同じ高さに位置するものであるが、図３のように水切部９の下端よりも下方に位置するものであっても良く、この場合は補助陰影形成部材３５とけらば水切６の水切部９との間にも帯状の陰影を形成でき、これにより補助陰影形成部材３５の上下の陰影と破風カバー２の下陰影形成部２１によって形成された帯状の陰影とでこの間の表面化粧部１９を幅の広い帯状に浮き上がらせて高級感のある優れた外観を得ることができる。
【００３０】
次に上記とは異なる例を図４に示す。なお図１の例と同一の構成については同一の番号を付与し、重複する説明は省略する。
【００３１】
本例では図４のように補助陰影形成部材３５の断面形状が異なる。補助陰影形成部材３５は、断面上向きのコ字状片部４０の一方の側片部３５ｂ（内側の側片部３５ｂ）の上縁から内側方に向けて水平な載置片部４１を一体に突出したもので、コ字状片部４０の底部３５ａの両側から立ち上げた側片部３５ｂ、３５ｃ間に上方に開口する排水溝３６を形成している。
【００３２】
補助陰影形成部材３５を破風カバー２に取付けるには、図４のように載置片部４１を上陰影形成部２０の横片部３７の上面に載置して同面の幅方向の全部を覆い、且つコ字状片部４０の側片部３５ｂを上陰影形成部２０の縦片部３０の外側面に沿って当接し、この状態で補助陰影形成部材３５を接着剤やビスのような固着具を用いて破風カバー２に取付ける。
【００３３】
このように取付けられた補助陰影形成部材３５はコ字状片部４０の外側の側片部３５ｃが表面化粧部１９の外側面よりも外側に位置しており、これにより排水溝３６の全部がけらば水切６よりも外側方に位置している。またこれにより破風カバー２の外側端部が破風カバー２の表面化粧部１９の外側面よりも更に外側方に突出し、破風カバー２の上縁部に表面化粧部１９よりも外側方に突出した段部３８が形成される。またコ字状片部４０の側片部３５ｃの上端は載置片部４１と同じ高さに位置する。なお図示は省略するが、本例でも上記実施例と同様に補助陰影形成部材３５の排水溝３６の軒側の端を軒樋３９の妻側の端部の上方において開口させているものとする。
【００３４】
本例では補助陰影形成部材３５とけらば水切６の水切部９との間に十分な隙間を形成できてこの間にもくっきりとした帯状の陰影を形成でき、この結果、補助陰影形成部材３５の上下の陰影と破風カバー２の下陰影形成部２１によって形成された帯状の陰影とでこの間の表面化粧部１９を幅の広い帯状に浮き上がらせて高級感のある優れた外観を得ることができる。
【図面の簡単な説明】
【００３５】
【図１】本発明の実施の形態の一例を示す屋根の妻側端部の断面図である。
【図２】同上の屋根の軒側端部の正面図である。
【図３】他例の屋根の妻側端部の断面図である。
【図４】更に他例の屋根の妻側端部の断面図である。
【符号の説明】
【００３６】
１  破風板
２  破風カバー
１９  表面化粧部
２０  上陰影形成部
２１  下陰影形成部
３５  補助陰影形成部材
３６  排水溝
３７  横片部
【図１】
2007154458.tif 000003
【図２】
2007154458.tif 000004
【図３】
2007154458.tif 000005
【図４】
2007154458.tif 000006